(57)【特許請求の範囲】
【請求項１】
一次的な床面を覆って二次的な床面を設置する変換システムであって、
使用していないときに前記二次的な床面を格納するためのコアと、
前記二次的な床面を支持し、且つ、前記二次的な床面を前記コア上に且つ前記コアから離れて案内するための第１ローラと、
前記二次的な床面を支持し、且つ、前記二次的な床面を前記コア上に且つ前記コアから離れて案内するための第２ローラと、
少なくとも前記第１ローラと前記第２ローラの一つに対する前記コアの相対位置を決定するための変換器であって、前記コアの相対位置を位置信号に変換する変換器とを含み、
前記コアは少なくとも一つのコアモータによって駆動され、前記少なくとも一つのコアモータはコア駆動装置によって制御され、
第１ローラは自由に回転し、
第２ローラは少なくとも一つのローラモータによって駆動され、前記少なくとも一つのローラモータはローラ駆動装置によって制御され、
前記コア駆動装置は、前記二次的な床面が前記コア上に巻かれる間に、前記少なくとも一つのコアモータのトルクを制御し、且つ、前記二次的な床面が前記コアから離れる間に前記変換器から受け取った情報に基づいて、前記少なくとも一つのコアモータの速度を制御し、
前記ローラ駆動装置は、前記少なくとも一つのローラモータの速度を制御する、一次的な床面を覆って二次的な床面を設置する変換システム。
【請求項２】
さらに、前記コアおよび前記二次的な床面を支持するための枠を含み、前記枠は、前記二次的な床面が前記コア上に巻かれるかまたは前記コアから離れるときに、一対の端部軸に沿って垂直に移動する、請求項１に記載のシステム。
【請求項３】
前記変換器は、少なくとも前記第１ローラと前記第２ローラの一つに対する前記枠の相対位置を決定することによって、少なくとも前記第１ローラと前記第２ローラの一つに対する前記コアの前記相対位置を決定する、請求項２に記載のシステム。
【請求項４】
前記変換システムの少なくとも一部は、ピット内に置かれる、請求項１に記載のシステム。
【請求項５】
前記変換システムの少なくとも一部は、部分ピット内に置かれる、請求項１に記載のシステム。
【請求項６】
前記変換システムの少なくとも一部は、メザニン式搭載システムである、請求項１に記載のシステム。
【請求項７】
前記変換システムの少なくとも一部は、表面搭載システムである、請求項１に記載のシステム。
【請求項８】
さらに、前記一次的な床面を覆う前記二次的な床面の前記設置を支援するウィンチ／ケーブルシステムを含む、請求項１に記載のシステム。
【請求項９】
前記ウィンチ／ケーブルシステムは車輪を含む、請求項８に記載のシステム。
【請求項１０】
前記ウィンチ／ケーブルシステムは、さらに、ステアリング機構を含む、請求項８に記載のシステム。
【請求項１１】
前記ステアリング機構は、一人の操作者のみによって、手動で作動されることができる、請求項１０に記載のシステム。
【請求項１２】
前記ステアリング機構は、自動で作動されることができる、請求項１０に記載のシステム。
【請求項１３】
さらに、前記コアを支持する前記枠の前記垂直移動を支援する、前記枠に連結された液圧リフトを含む、請求項２に記載のシステム。
【請求項１４】
二次的な床面を設置するためのシステムであって、
使用していないときに前記二次的な床面を格納するためのコアと、
前記二次的な床面を支持し、且つ、前記二次的な床面を前記コア上に且つ前記コアから離れて案内するための第１ローラと、
前記二次的な床面を支持し、且つ、前記二次的な床面を前記コア上に且つ前記コアから離れて案内するための第２ローラとを含み、
前記コアは少なくとも一つのコアモータによって駆動され、前記少なくとも一つのコアモータはコア駆動装置によって制御され、
第１ローラは自由に回転し、
第２ローラは少なくとも一つのローラモータによって駆動され、前記少なくとも一つのローラモータはローラ駆動装置によって制御され、
前記コア駆動装置は、前記二次的な床面が前記コア上に巻かれる間に、前記少なくとも一つのコアモータのトルクを制御し、且つ、前記二次的な床面が前記コアから離れる間に、前記少なくとも一つのコアモータの速度を制御し、
前記ローラ駆動装置は前記少なくとも一つのローラモータの速度を制御する
二次的な床面を設置するためのシステム。
【請求項１５】
さらに、前記コアおよび前記二次的な床面を支持するための枠を含み、前記枠は、前記二次的な床面が前記コア上に巻かれるかまたは前記コアから離れるときに、一対の端部軸に沿って垂直に移動する、請求項１４に記載のシステム。
【請求項１６】
さらに、少なくとも前記第１ローラと前記第２ローラの一つに対する前記コアの前記相対位置を決定する変換器であって、前記コアの相対位置を位置信号に変換する変換器を含む、請求項１４に記載のシステム。
【請求項１７】
前記二次的な床は、前記二次的な床面を設置するためのシステムの前部を通って巻かれて、第２ローラは、第１ローラと前記二次的な床面を設置するためのシステムの前部との間に置かれる、請求項１４に記載のシステム。
【請求項１８】
二次的な床面を巻き上げる方法であって、
所定のトルクで作動するようにコアモータを制御することと、
第１ローラが自由に回転することを許容することと、
所定の速度で作動するようにローラモータを制御することとを含み、
前記二次的な床面がコア上に巻かれるときに、前記コアモータが前記コアの回転を制御し、
前記二次的な床面が前記コア上に巻かれるときに、第１ローラが前記二次的な床面を案内且つ支持し、
前記二次的な床面が前記コア上に巻かれるときに、前記ローラモータが第２ローラの回転を制御し、第２ローラは前記二次的な床面を案内且つ支持し、    
前記所定の速度は、前記二次的な床面の長さ、および、前記二次的な床面を巻き上げるのに割り当てられた時間に基づいている、二次的な床面を巻き上げる方法。
【請求項１９】
前記二次的な床面が前記コア上に巻かれるときに、前記所定のトルクが維持される、請求項１８に記載の方法。
【請求項２０】
前記コアモータおよび前記ローラモータは、同様の加速時間および減速時間を有する、請求項１８に記載の方法。
【請求項２１】
二次的な床面を展開する方法であって、
コアモータの速度を制御することと、
第１ローラが自由に回転することを許容することと、
所定の速度で作動するようにローラモータを制御することと、
コア上の前記二次的な床面の量を決定することと、
前記コア上の前記二次的な床面の量を用いて前記コアモータの前記速度を調整することとを含み、
前記二次的な床面が前記コアから離れるときに、前記コアモータが前記コアの回転を制御し、
前記二次的な床面が前記コアから離れるときに、第１ローラが前記二次的な床面を案内且つ支持し、
前記二次的な床面が前記コアから離れるときに、前記ローラモータが第２ローラの回転を制御し、第２ローラは前記二次的な床面を案内且つ支持し、
前記所定の速度は、前記二次的な床面の長さ、および、前記二次的な床面を展開するのに割り当てられた時間に基づいている、二次的な床面を展開する方法。
【請求項２２】
前記コア上の前記二次的な床面の量を決定することは、前記コアを支持する枠の位置を決定することを含む、請求項２１に記載の方法。
【請求項２３】
前記コア上の前記二次的な床面の量を用いて前記コアモータの前記速度を調整することは、直線的に前記速度を調整することを含む、請求項２１に記載の方法。
【請求項２４】
前記二次的な床面が前記コアから離れるときに、前記所定の速度で作動するよう前記ローラモータを制御することが、前記所定の速度を維持することを含む、請求項２１に記載の方法。
【請求項２５】
さらに、前記二次的な床面が前記コアから離れるときに、一次的な床面を横断して前記二次的な床面を引っ張ることを支援する、ウィンチ／ケーブルシステムを含む、請求項２１に記載の方法。
【請求項２６】
二次的な床面を展開する方法であって、
第１所定速度で作動するようにコアモータの速度を制御することと、
第１ローラが自由に回転することを許容することと、
第２所定速度で作動するようにローラモータを制御することとを含み、
前記二次的な床面がコアから離れるときに、前記コアモータが前記コアの回転を制御し、
前記二次的な床面が前記コアから離れるときに、第１ローラが前記二次的な床面を案内且つ支持し、
前記二次的な床面が前記コアから離れるときに、前記ローラモータが第２ローラの回転を制御し、第２ローラは前記二次的な床面を案内且つ支持し、
第２所定速度は、前記二次的な床面の長さ、および、前記二次的な床面を展開するのに割り当てられた時間に基づいている、二次的な床面を展開する方法。
【請求項２７】
前記二次的な床面が前記コアから離れるときに、第２所定速度で作動するよう前記ローラモータを制御することは、第２所定速度を維持することを含む、請求項２６に記載の方法。
【請求項２８】
前記二次的な床面が前記コアから離れるときに、第１所定速度で作動するよう前記コアモータの速度を制御することが、第１所定速度を維持することを含む、請求項２６に記載の方法。
【請求項２９】
さらに、前記二次的な床面が前記コアから離れるときに、一次的な床面を横断して前記二次的な床面を引っ張ることを支援するウィンチ／ケーブルシステムを含む、請求項２６に記載の方法。
【発明の詳細な説明】
【技術分野】
【０００１】
＜関連出願情報＞
本願は、２００８年９月１９日に出願した、発明の名称が「人工芝の格納および一時的設置のためのシステム並びに方法」である米国仮特許出願第６１／０９８，５４３号、および、２００９年５月１１日に出願した、発明の名称が「二次的な床面の格納および一時的設置のためのシステム並びに方法」である米国仮特許出願第６１／１７７，０７３号の優先権を主張する。これらの開示全体を援用してここに組み入れる。
【背景技術】
【０００２】
合成芝としても知られている人工芝は、天然芝のように見え且つ機能するように設計された合成材料から製造された表面である。人工芝は競技（運動競技）業界で通常用いられている。また、商業的修景用途および住宅向け修景用途にも用いられている。人工芝は、とりわけ、ナイロン繊維および／またはポリエチレン繊維から形成され得る。一部の人工芝表面は、人工繊維間に充填材を用いており、「充填された表面“infill surfaces”」と称される。充填材は、例えば、数ある材料の中でとりわけ、ゴム、低温粉砕ゴム、エチレンプロピレンジエンモノマーゴム（ＥＰＤＭゴム）、コルク、ポリマービーズ、ポリマーフォーム、スチレン、パーライト、ネオプレン、砂、砂利、または粒状プラスチックで作られ得る、「弾性の“resilient”」顆粒から構成される。
【０００３】
天然芝の使用が不都合であるか、高価であるか、または実行不可能であるときに、人工芝は望ましい。ある種の環境は、競技チームに、屋内でのトレーニングおよび練習を余議なくさせる。またスポーツによっては、軟らかいかまたは芝のような表面が必要であるかもしれない。プロのスポーツチームが、屋内競技場で人工芝の使用を必要とする環境に本拠地を置かれるかもしれない。さらに、一部の消費者は、天然芝で適切に修景された表面を維持することを極めて高額であると感じるかもしれない。人工芝は、維持費用がかからない代替物をもたらすことができる。
【０００４】
可搬式で、取り外し可能で、且つ格納可能な人工芝または他の二次的な床面を提供するシステムは有益である。なぜならそれらは、一つの会場で一次的な床面（本来の面）および二次的な床面の両方を用いることを可能にするからである。例えば、二次的な床面は、屋内競技場の床または選択されたスポーツおよび活動のための他の一次面に一時的に置かれて、後で取り外され得る。
【０００５】
一時的な人工芝を展開する（広げる）ように設計された少なくとも一つの現存する設置システムは、他の芝よりも粗いけれども、より耐久性があるニット裏当て層を有する、短パイルニットナイロンから形成される製品のみを収容することができる。この種の現存するシステムは、特に、短パイルニットナイロン型の芝と共に使用するために設計されており、長いパイル高さを有する他の材料またはシステムから形成される芝システムを効果的に用いることはできない。ニットナイロン芝を用いて使用されるときでさえ、この種の現存するシステムは、ロールが巻き上げられるときにロールが入れ子状になる（roll telescoping）かまたは、ロールが展開されるときに撓んでしまうなどの欠点を有する。さらに、この種の現存するシステムは、制御されることができない単一の速度でのみ作動されることができる。このシステム制御の欠如は、方向性の問題を引き起こし、且つ、芝の皺、破れ、および変形を引き起こすことがある。
【０００６】
ポリエチレン繊維から形成される人工芝は、伝統的なナイロン製品よりも比較的軟らかく且つ長いので、該人工芝が用いられている。ポリエチレン繊維から形成される人工芝は、タフトされることができる。ポリエチレン人工芝は、典型的には約２．５ｃｍ（１インチ）の半分の高さもない（高さ約１．３ｃｍ未満の）、短寸でコンパクトな伝統的なナイロン人工芝よりも、約５．１ｃｍ（約２インチ）高いパイル高さを有する。
【０００７】
既存の設置システムを用いて、長パイルのポリエチレン繊維を有する人工芝を巻き且つ展開する試みは、裏当て層の破損、滑り、およびロールのどちらかの端部に集まる弛みをもたらす。例えば、より長いポリエチレン繊維は、人工芝が展開されるときおよび巻かれるときに、ロールの滑りを引き起こす。滑りは、人工芝への損傷をもたらすことがあるので望ましくない。対照的に、ナイロン繊維はそれほど滑りやすくないので、ナイロンの人工芝は、より「グリップ力“grip”」を有し、その結果、より平坦な（むらのない）巻き上げ工程が可能になる。従って、既存のシステムは、ポリエチレン繊維および充填システムから構成されるものを含む、長パイルから構成されるもののような、より新型の人工芝を効果的に用いることはできない。
【０００８】
一部の従来知られたシステムは、ポリエチレン繊維を含む、より長いパイル高さを巻き且つ展開することができるが、これらのシステムは、人工芝または他の二次的な床の幅狭部分を、ロール上に収容することができるに過ぎず、パイル高さに依存している。これらの既存のシステムに関しては、機械が移動して人工芝を巻き上げ且つ展開し、人工芝は静置したままである。人工芝が静置したままであるので、これらの従来知られたシステムは、ロールを運ぶためにリフトトラックを必要とする。このことは、用いられることができるロールの幅を制限する。なぜならば、これらのリフトトラックは、人工芝または他の二次的な床の単独のロールの重量を処理できないかまたは、ロールの幅が広すぎるならば処理できないからである。
【０００９】
従って、これらの従来知られたシステムは、幅狭のロールのみを収容することができるので、既設の一次面を覆うために、多数の人工芝または他の二次的な床を必要とする。これらの複数の人工芝は、別々のロールに巻かれるので、人工芝または他の二次的な面の多数のロール全てを格納するために、大きな格納領域が必要とされる。これらの別々のロールが展開される場合は、二次的な床面を形成するために、個々の人工芝を継ぎ合わさなければならない。さらに、ロールを展開して二次的な床システムをレイアウトするときに、これらの複数の人工芝は適切な順序で設置されなければならず、それは面倒であり時間がかかる。従来知られたシステムを用いて人工芝または他の二次的な床を展開することは時間がかかり、且つ、１ロール当たり２０〜３０分もの時間を必要とすることがある。従って、例えば競技場のような二次的な床面を巻き上げること、および、そのロールを格納することは、従来知られたシステムを用いると、９〜１０時間以上かかることがある。
【００１０】
従来知られたカーペット巻き上げシステムは、カーペット巻き上げシステムの張力が、カーペット以外の、人工芝および他の種類の床に適切ではないので、人工芝での使用に適さない。カーペットに張力を与える従来知られた方法は、その機械が幅広の芝を収容することができないので、人工芝で達成されることはできない。もし該システムが芝を収容するのに十分な幅になされているならば、追加の支持が必要であろう。そのことは、人工芝を該システムに通す工程を妨げるであろう。
【００１１】
従って、長パイルのポリエチレン芝および／または充填システムを含む、長パイルの人工芝のような二次的な床面を、効率的に巻き且つ展開することができるシステムが必要である。より大きなロール幅および重量を有する二次的な床面を、巻き且つ展開することができるシステムも必要である。タフトされた製品またはニット製品、長パイル製品または短パイル製品、ゴム引き床システム、床敷物、天然芝、充填製品および非充填製品、または一次面を覆い且つ／または保護するのに用いられる他の表面を含むがこれらに限定されない、種々の二次的な床面を収容するシステムも必要である。これらの二次的な床面は、競技業界で用いられるものに限定されない。
【発明の概要】
【発明が解決しようとする課題】
【００１２】
一次的な床面を覆って二次的な床面を設置する変換システムであって、使用していないときに二次的な床面を格納するためのコアと、二次的な床面を支持し、且つ、二次的な床面をコア上に且つコアから離れて案内するための第１ローラと、二次的な床面を支持し、且つ、二次的な床面をコア上に且つコアから離れて案内するための第２ローラと、コアの相対位置を決定するための変換器とを含み、コアは少なくとも一つのコアモータによって駆動され、少なくとも一つのコアモータはコア駆動装置（コアモータ駆動装置）によって制御され、第１ローラは自由に回転し、第２ローラは少なくとも一つのローラモータによって駆動され、少なくとも一つのローラモータはローラ駆動装置によって制御され、コア駆動装置は、二次的な床面がコア上に巻かれる間に、少なくとも一つのコアモータのトルクを制御し、且つ、二次的な床面がコアから離れる間に変換器から受け取った情報に基づいて、少なくとも一つのコアモータの速度を制御し、ローラ駆動装置は少なくとも一つのローラモータの速度を制御する、一次的な床面を覆って二次的な床面を設置する変換システムが提供される。
【００１３】
一部の実施形態によると、該システムは、さらに、コアおよび二次的な床面を支持するための枠を含み、枠は、二次的な床面がコア上に巻かれるかまたはコアから離れるときに、一対の端部軸に沿って垂直に移動する。
【００１４】
一部の実施形態によると、変換器は、枠の相対位置を決定することによって、コアの相対位置を決定する。
【００１５】
一部の実施形態によると、変換システムの少なくとも一部は、ピット（穴）内に置かれる。
【００１６】
一部の実施形態によると、変換システムの少なくとも一部は、部分ピット内に置かれる。
【００１７】
一部の実施形態によると、変換システムの少なくとも一部は、メザニン式搭載システムである。
【００１８】
一部の実施形態によると、変換システムの少なくとも一部は、表面搭載システムである。
【００１９】
一部の実施形態によると、該システムは、さらに、一次的な床面を覆う二次的な床面の設置を支援するウィンチ／ケーブルシステムを含む。
【００２０】
一部の実施形態によると、ウィンチ／ケーブルシステムは車輪を含む。
【００２１】
一部の実施形態によると、請求項８に記載のウィンチ／ケーブルシステムは、さらに、ステアリング（操縦）機構を含む。
【００２２】
一部の実施形態によると、ステアリング機構は、一人の操作者のみによって、手動で作動されることができる。
【００２３】
一部の実施形態によると、ステアリング機構は、自動で作動されることができる。
【００２４】
一部の実施形態によると、該システムは、さらに、コアを支持する枠の垂直移動を支援する、枠に連結された液圧（油圧、水圧）リフトを含む。
【００２５】
二次的な床面を設置するためのシステムであって、使用していないときに二次的な床面を格納するためのコアと、二次的な床面を支持し、且つ、二次的な床面をコア上に且つコアから離れて案内するための第１ローラと、二次的な床面を支持し、且つ、二次的な床面をコア上に且つコアから離れて案内するための第２ローラとを含み、コアは少なくとも一つのコアモータによって駆動され、少なくとも一つのコアモータはコア駆動装置（コアモータ駆動装置）によって制御され、第１ローラは自由に回転し、第２ローラは少なくとも一つのローラモータによって駆動され、少なくとも一つのローラモータはローラ駆動装置によって制御され、コア駆動装置は、二次的な床面がコア上に巻かれる間に、少なくとも一つのコアモータのトルクを制御し、且つ、二次的な床面がコアから離れる間に、少なくとも一つのコアモータの速度を制御し、ローラ駆動装置は少なくとも一つのローラモータの速度を制御する、二次的な床面を設置するためのシステムも提供される。
【００２６】
一部の実施形態によると、該システムは、さらに、コアおよび二次的な床面を支持するための枠を含み、枠は、二次的な床面がコア上に巻かれるかまたはコアから離れるときに、一対の端部軸に沿って垂直に移動する。
【００２７】
一部の実施形態によると、該システムは、さらに、コアの相対位置を決定する変換器を含む。
【００２８】
一部の実施形態によると、二次的な床は、二次的な床面を設置するためのシステムの前部を通って巻かれて、第２ローラは、第１ローラと二次的な床面を設置するためのシステムの前部との間に置かれる。
【００２９】
二次的な床面を巻き上げる方法であって、所定のトルクで作動するようにコアモータを制御することと、第１ローラが自由に回転することを許容することと、所定の速度で作動するようにローラモータを制御することとを含み、二次的な床面がコア上に巻かれるときにコアモータがコアの回転を制御し、二次的な床面がコア上に巻かれるときに第１ローラが二次的な床面を案内且つ支持し、二次的な床面がコア上に巻かれるときに、ローラモータが第２ローラの回転を制御し、第２ローラは二次的な床面を案内且つ支持し、所定の速度は二次的な床面の長さ、および、二次的な床面を巻き上げるのに割り当てられた時間に基づいている、二次的な床面を巻き上げる方法も提供される。
【００３０】
一部の実施形態によると、二次的な床面がコア上に巻かれるときに、所定のトルクが維持される。
【００３１】
一部の実施形態によると、コアモータおよびローラモータは、同様の加速時間および減速時間を有する。
【００３２】
二次的な床面を展開する方法であって、コアモータの速度を制御することと、第１ローラが自由に回転することを許容することと、所定の速度で作動するようにローラモータを制御することと、コア上の二次的な床面の量を決定することと、コア上の二次的な床面の量を用いてコアモータの速度を調整することとを含み、二次的な床面がコアから離れるときにコアモータがコアの回転を制御し、二次的な床面がコアから離れるときに第１ローラが二次的な床面を案内且つ支持し、二次的な床面がコアから離れるときに、ローラモータが第２ローラの回転を制御し、第２ローラは二次的な床面を案内且つ支持し、所定の速度は二次的な床面の長さ、および、二次的な床面を展開するのに割り当てられた時間に基づいている、二次的な床面を展開する方法も提供される。
【００３３】
一部の実施形態によると、コア上の二次的な床面の量を決定することが、コアを支持する枠の位置を決定することを含むことを、該方法は含んでいる。
【００３４】
一部の実施形態によると、コア上の二次的な床面の量を用いてコアモータの速度を調整することが、直線的に速度を調整することを含むことを、該方法は含んでいる。
【００３５】
一部の実施形態によると、二次的な床面がコアから離れるときに、所定の速度で作動するようローラモータを制御することが、所定の速度を維持することを含むことを、該方法は含んでいる。
【００３６】
一部の実施形態によると、該方法は、さらに、二次的な床面がコアから離れるときに、一次的な床面を横断して二次的な床面を引っ張ることを支援するウィンチ／ケーブルシステムを含む。
【００３７】
二次的な床面を展開する方法であって、第１所定速度で作動するようにコアモータの速度を制御することと、第１ローラが自由に回転することを許容することと、第２所定速度で作動するようにローラモータを制御することとを含み、二次的な床面がコアから離れるときにコアモータがコアの回転を制御し、二次的な床面がコアから離れるときに第１ローラが二次的な床面を案内且つ支持し、二次的な床面がコアから離れるときに、ローラモータが第２ローラの回転を制御し、第２ローラは二次的な床面を案内且つ支持し、第２所定速度は、二次的な床面の長さ、および、二次的な床面を展開するのに割り当てられた時間に基づいている、二次的な床面を展開する方法も提供される。
【００３８】
一部の実施形態によると、二次的な床面がコアから離れるときに、所定の速度で作動するようローラモータを制御することが、所定の速度を維持することを含むことを、該方法は含んでいる。
【００３９】
一部の実施形態によると、二次的な床面がコアから離れるときに、第１所定速度で作動するようコアモータの速度を制御することが、第１所定速度を維持することを含むことを、該方法は含んでいる。
【００４０】
一部の実施形態によると、該方法は、さらに、二次的な床面がコアから離れるときに、一次的な床面を横断して二次的な床面を引っ張ることを支援するウィンチ／ケーブルシステムを含む。
【図面の簡単な説明】
【００４１】
【図１】図１は、一次面が変換されるときに、二次的な床システムを格納且つ一時的に設置するためのシステムの実施形態の上面図である。
【図２】図２は、図１のシステムの端面図である。
【図３】図３は、図２のシステムの部分上面図である。
【図４】図４は、本発明の一つの態様に従うコアの部分上面図である。
【図５】図５は、本発明の一つの態様に従うスパー／ウィンチシステムの上面図である。
【図６】図６は、図５のスパーの部分上面図である。
【図７Ａ】図７Ａは、図５の車輪部の上面図である。
【図７Ｂ】図７Ｂは、図７Ａの車輪部の側面図である。
【図８Ａ】図８Ａは、図２の端枠の側面図である。
【図８Ｂ】図８Ｂは、図８Ａの端枠の正面図である。
【図９】図９は、本発明の別の態様に従うスパー／ウィンチシステムであって、ウィンチがピット内に置かれているスパー／ウィンチシステムの側面図である。
【図１０】図１０は、本発明の別の態様に従うスパー／ウィンチシステムであって、ウィンチが一次面に置かれているスパー／ウィンチシステムの側面図である。
【図１１】図１１は、本発明の別の態様に従うスパー／ウィンチシステムであって、ウィンチが壁に置かれているスパー／ウィンチシステムの側面図である。
【発明を実施するための形態】
【００４２】
本発明のシステムおよび方法は、例えば人工芝、カーペット、ゴム引き床、天然芝、または他の好適な二次的な床などの、一時的な二次的な床面４０を格納し、且つ、該床面４０を既設の一次面３８に設置し取り外すものである。例えば、本発明のシステムは、例えば競技場の床またはドームのある競技場のような一次面を一時的に覆うために、二次的な床面を展開する。使用後は、二次的な床面は格納のために巻き上げられることができる。本発明のシステムおよび方法は、限られた量の労働力を用いて、短時間で、大きな一次面の二次的な床面への変換を可能にする。一次面は一般に平坦であり得るかまたは、排水を可能にするドーム型であり得る。二次的な床面は下にパッドを随意に含んで、二次的な床面に、追加の強度、緩衝性、および安定性を提供し得る。
【００４３】
本発明のシステムは、例えば、タフトされた製品またはニット製品、長パイル製品または短パイル製品、ゴム引き床システム、天然芝、カーペット、充填された面または充填されていない面、または一次面を覆い且つ／または保護する他の好適な表面などの、しかしこれらに限定されない、多数の異なる種類の二次的な床面から、ユーザが選択することも可能にする。これらの二次的な床面の全てが一次面に展開され、そして巻き上げられ、取り外され得る。一実施形態においては、例えば、本発明のシステムは、短時間で、長パイルの充填されている合成人工芝を巻き上げ且つ展開する。一次面を二次的な床面に変換するために必要な時間は、一つには、一次面の面積次第であり、特に、一次面の長さ次第である。
【００４４】
本発明のシステムの一部の利益は、二次的な床面の変形、伸長、およびバンチングがないこと、充填材の移動および損失の減少、および二次的な床面の損傷および変形の減少を含む。つまり、二次的な床面は、むらなく整然と巻き上げられ且つ展開される。むらのある巻き上げ工程は、二次的な床面への製品損傷をもたらし得るであろう。さらに、むらのある巻き上げ工程は、特定の場所に二次的な床面の集まりおよびバンチングをもたらし得るであろう。そのことは、表面性能または競技のパフォーマンスに悪影響を与えることがあり、最終的には、機能しないシステムをもたらすことになる。
【００４５】
本発明の一部の実施形態は、一次面と概ね同一の幅である単一のローラ上に二次的な床面を巻き上げ、且つ、二次的な床面を展開する。このように、二次的な床面は、単一のロールから一次面に設置されることができ、そのことは、いくつかの断片化したロールから二次的な床面を創生するよりも、より速く且つより容易である。本発明のこれらの実施形態は、巻き上げられる二次的な床面が、単一のロールに巻き上げられて、単一のロールとして格納されることも可能にする。
【００４６】
本発明に従うある実施形態では、図１〜図４に示すように、変換システム１０は、スチールまたは他の好適な材料から形成されるコア１２を含む。変換システム１０は、完全ピットまたは部分ピット４６（図２に示す）に格納され得るかまたは、一次面３８に直接取り付けられ得る。あるいは、該システムはメザニン式搭載システムであってよい。該システムが完全ピット式搭載システムならば、該システムは、使用していないときには、格納ピットを覆う格納式液圧（油圧、水圧）蓋を含み得る。一部の実施形態では、該システムは移動可能なやり方で取り付けられ得る。一例として、該システムは、随意に、該システムをピットから外へ持ち上げることができる液圧（油圧、水圧）リフトと共に用いられて、該システムを一次面の高さと位置合わせすることができる。別の実施形態では、該システムは、格納式ドアを有する壁の後ろに取り付けられ得る。二次的な床４０は、巻き上げ工程の間にコア１０の周りに巻かれる。図２に示すように、変換システム１０は、第１ローラ１４および第２ローラ１６を含む。第１ローラ１４および第２ローラ１６は、スチールまたは他の好適な材料から形成されることができる。変換システム１０の端面図である図２は、第１ローラ１４および第２ローラ１６が、クレードル（架台）ローラ３２に載っていることを示す。クレードルローラ３２は、第１ローラ１４および第２ローラ１６が回転することを許容する。クレードルローラ３２は、全体像を示すために破線で図１に示しているが、そうでなければ、クレードルローラ３２はこの図においては見えないであろう。図２は、コア上の２つの異なる量の二次的な床を図示している。線１３は、ほぼ全ての二次的な床がコア上に巻かれているときの二次的な床を図示しており、線１５は、ほぼ全ての二次的な床がコアから離れているときの二次的な床を図示している。
【００４７】
コアの中央軸３６は、第１ローラ１４の軸と第２ローラ１６の軸の間且つ上方に置かれる。第１ローラおよび第２ローラに相対する中央軸３６の位置は、二次的な床が巻き上がっているかまたはコアから離れているかに応じて変化する。図２に示すように、二次的な床４０がコアから離れるときは、二次的な床は、第１ローラ１４を通過して、第２ローラ１６を通過して、次いで一次面に載る。二次的な床４０がコア上に巻かれるときは、二次的な床は、一次面から、第２ローラを通過して、第１ローラを通過して、次いでコア上に載る。長さ約１２９．８ｍ（約４２６フィート）および幅約６７．１ｍ（約２２０フィート）を有する二次的な床を支持する一実施形態では（この実施形態は、本明細書では第１実施形態と称される）、中央軸は直径約１５．２ｃｍ（約６インチ）であり、コアは直径約１．２ｍ（約４８インチ）であり、第１ローラおよび第２ローラは、直径約４０．６ｃｍ（約１６インチ）である。長さ約６１ｍ（約２００フィート）および幅約４．６ｍ（約１５フィート）を有する二次的な床を支持する別の実施形態では、中央のコアは直径約７６．２ｃｍ（約３０インチ）であり、第１ローラおよび第２ローラは直径約３０．５ｃｍ（約１２インチ）である（この実施形態は、本明細書では第２実施形態と称される）。
【００４８】
コアモータ２０およびギアボックス２２は、コア１２の各端部に置かれ、且つ、チェーン２４およびスプロケット（鎖歯車）２６ａ、２６ｂを介して、中央軸３６の回転を駆動する。図４は、コア１２および中央軸３６の一部を図示している。コアはスチール支持ヘッダ７４を含んでいる。第一実施形態では、スチール支持ヘッダは、コアの長さに沿って約１．５ｍ（５フィート）間隔で備えられている。図３に示すように、中央軸３６は、コア１２からピローブロックベアリング２５および２７を通って延在する。図２は、中央軸３６の端部が、チェーン２４およびスプロケット２６ａ、２６ｂを介して、ギアボックス２２によって係合されていることを図示している。中央軸３６の回転により、コア１２が回転する。コアモータ２０は必要な動力を提供してコア１２を回転させて、コア上に二次的な床４０を巻く。このように、コア１２は、コアモータによって駆動される中心巻き取り機になる。この中心巻き取り機は、第１ローラ１４および第２ローラ１６と共に作動して、二次的な床面をコア１２の周りに巻き上げる。
【００４９】
ローラモータ６６は、第２ローラ１６（本明細書において前方ローラとも称される）の各端部に置かれると共に、前方ローラの回転を駆動する。ローラモータ６６は、ベルトを介してギアボックス６８を駆動し、ギアボックス６８はチェーンを介して前方ローラ１６を駆動する。第１ローラ１４は、巻き上げの間と展開の間の両方において、自由に回転する。
【００５０】
一実施形態では、コアモータおよびローラモータのそれぞれは、別々の可変速駆動装置によって制御される。第一実施形態の例示的なモータおよび駆動装置は、２５馬力、４８０ボルト、三相、回転数１７５０ＲＰＭのモータ、および、Ｇ９型可変速駆動装置（２５馬力モデル）を含み、どちらも東芝から入手可能である。この実施形態は同型のモータを用いて、コアと前方ローラの両方を駆動するが、他の実施形態は異なるモータを用いて、コアおよび前方ローラを駆動し得る。コア駆動装置は、少なくともトルクモードおよび速度モードを支持し、且つ、両方のモードでコアモータを制御することができる。一部の実施形態については、コア駆動装置は可変速駆動装置であり、二次的な床面を展開する間に、コアの速度を変化させる。コアモータは、二次的な床面がコア上に巻かれるときにコアを駆動するための十分な力を有する。ローラ駆動装置は速度モードを提供し、且つ、ローラモータの速度を制御することができる。図面は、コアおよび第２ローラが一対のモータによって駆動されることを図示しているが、全ての実施形態が一対のモータを使用しているとは限らない。二次的な床面の幅および／または長さに応じて、第２ローラおよび／またはコアは、単一のモータまたは２個以上のモータによって、駆動され得る。
【００５１】
一部の実施形態において、砂または他の材料をコアに加えてもよい。その場合は、材料は、コアの中央部に加えられ、コアの端部に向かって先細に少なくなっている。例えば、第一実施形態ではコアの一部に砂がある。その部分は、長さ約３０．５ｍ（約１００フィート）であり、コアの中間に中心がある。砂は、コアの中間において最も重く、約３０．５ｍ（１００フィート）部分の端部に近付くにつれて先細になるように分配される。砂がなければ、第一実施形態におけるコアの最も重い部分はコアの端部に向かっているので、二次的な床がコア上に巻かれるときに、二次的な床はコアの端部に向かって皺の影響を受けやすい。砂はコアの重量を均等にするのを助け、且つ、二次的な床面材料のコア上へのより平坦な（むらのない）巻き上げ工程も促進する。
【００５２】
コアは、リニアベアリング２８を有する端部軸３０上に取り付けられる。リニアベアリング２８を有する端部軸３０は、さらに後述するように、二次的な床４０のロールのコア周りの直径が増加するかまたは減少するに従って、その上にコア（従ってコア１２）が載る枠４４が浮き上がるかまたは下降することを可能にする。図２および図３に示すように、端部軸３０は、端部軸３０を端枠１８に取り付けるクランプブロック３４も含む。端枠１８は、独立に、図８Ａおよび図８Ｂに示す。コア１２が浮き上がることおよび下降することを可能にすることは、巻き上げ工程の間に、ほぼ一定の張力を維持することを助ける。端部シャフト３０は、巻き上げ工程でコア１２に巻き付いた二次的な床４０によって、コア１２の直径が大きくなるにつれて、コア１２を安定させる。端部軸３０は、コア１２を安定させるために、スチールまたは他の好適な材料から形成され得る。
【００５３】
一部の実施形態では、図２に示すように、随意の液圧（油圧、水圧）リフト７２をコアのいずれかの端部で用いて、コア１２を持ち上げることおよび下ろすことを支援し得る。具体的には、液圧リフト７２のシリンダが伸びると、圧力がピストンを上昇させてコア１２の重量を支持するのを助ける。シリンダが伸びているとき、一定の圧力が維持されてコア１２を一定の速度で持ち上げる。コアを下ろすとき、安全弁を用いて一定の圧力を維持し得る。
【００５４】
一部の実施形態では、線形電圧変位変換器（「ＬＶＤ」）を用いて、端部軸３０の一つに沿った枠４４の位置を決定し、その情報をコア可変速駆動装置に提供する。他の実施形態では、その位置は端枠１８に相対して決定され得る。これらのいずれの実施形態では、枠４４の位置はローラの直径についての情報を提供し、二次的な床面の展開工程の間に用いられる。コア上に巻かれた二次的な床面を有するコアの直径が約２．４ｍ（約８フィート）であった第一実施形態で、線形電圧変位変換器（ＬＶＤ）が有益であったことを、発明者らは見出した。線形電圧変位変換器（ＬＶＤ）は、コア上に巻かれた二次的な床を有するコアの直径が約１．５ｍ（約５フィート）であった第２実施形態では必要ではなかった。
【００５５】
他の実施形態では、コアが浮き上がり且つ下降することを可能にする代わりに、第１ローラ１４および第２ローラ１６が端部軸３０上または枠上に取り付けられて、第１ローラ１４および第２ローラ１６が浮き上がるかまたは下降することを可能にする。これらの実施形態の一つでは、第１ローラ１４および第２ローラ１６を、リニアボールベアリング上に置くことができる。二次的な床のロールの重量および／または直径が増加するとき第１ローラ１４および第２ローラは下がり、ロールの重量および／または直径が減少するとき第１ローラ１４および第２ローラは上がる。コア１２あるいは第１ローラ１４および第２ローラの垂直移動は、ロールが入れ子状になること（roll telescoping）、ロールの弛み、またはロールが破れることの制御を助ける。
【００５６】
また、上述のシステムを用いて、二次的な床４０を巻き上げ且つ展開する方法も開示されている。巻き上げ工程を開始するために、コア１２および第２ローラをそれぞれ制御するコアモータ２０およびローラモータ６６が作動される。コアモータ２０およびローラモータ６６は、二次的な床面をコア上に巻かせる方向に、コアおよび第２ローラを駆動するよう構成されている。上述のように、コアは二次的な床面を巻き上げるのを助ける中心巻き取り機になる。ローラ可変速駆動装置は、巻き上げ工程において固定速度を維持するようにプログラムされている。その速度は、典型的には、所望の巻き上げ時間／展開時間および二次的な床の長さによって決定される。巻き上げ時間は、二次的な床面をコア上に巻くのにかかる時間であり、展開時間は、二次的な床がコアから離れるのにかかる時間である。例えば、第一実施形態での速度は、約６．１ｍ／分（約２０フィート／分）で二次的な床面を巻くことに相当する。これは、約２０〜２５分の巻き上げ時間／展開時間、および、約１２９．８ｍ（約４２６フィート）の長さに基づいている。第二実施形態での表面速度も、約６．１ｍ／分（約２０フィート／分）で二次的な床面を巻き上げることに相当する。
【００５７】
コア可変速駆動装置は、前方ローラモータの速度および二次的な床の量および種類を考慮して、比較的ピンと張ったロールを提供するように、コアモータのトルクを設定するようプログラムされている。このシステムは、異なる種類の二次的な床面、例えば、とりわけ、異なる糸、異なる構成、異なるパイル高さ、および異なる充填材から作られる人工芝など、を収容するので、用いられる二次的な床面の特定の種類および各会場の特定のニーズに適合するように、システムがモータのパラメータを調整できることが望ましい。二次的な床の量および種類は、二次的な床がコア上に巻かれるときに、二次的な床の重量および直径を決定する。ロールの張りは、二次的な床が皺または入れ子状にならずに展開できるとき、且つ、パイルの過度の圧潰がないときに、許容できる。二次的な床が非常にきつく巻かれるならば、パイルは圧潰されるかもしれず、グルーミング時間をより多く必要とするかもしれない。それは、変換時間を増やすことになる。二次的な床４０のロールの大きさが増大するとき、その上にコア１２が載る中央枠４４が、上述のように、リニアボールベアリング２８および端部軸３０上で浮き上がるかあるいは、第１ローラ１４および第２ローラ１６が下降する。一度二次的な床がコア上に巻かれるならば、コアモータおよび前方ローラモータは停止される。一部の実施形態では、システムの作動および停止は手動であるので、操作者は制御ボックスを用いて、モータを作動および停止させる。他の実施形態では、システムは自動で作動および停止する。例えば、一部の実施形態におけるシステムは、コア上の二次的床の量または後述するスパーの位置を感知するセンサを含み、モータを停止する時を決定する。
【００５８】
第一実施形態では、二次的な床は、パイル高さ約６．４ｃｍ（約２．５インチ）、フェース重量約２．０ｋｇ／ｍ２（約６０オンス／平方ヤード）を有するポリエチレン繊維を含み、且つ、充填材約１４．６ｋｇ／ｍ２（約３ポンド／平方フィート）を有する、タフトされた人工芝である。二次的な床の最終製品重量は、約９．８ｋｇ／ｍ２（約２ポンド／平方フィート）である。第一実施形態については、コアモータのために設定するトルクは、モータが出すことができる総トルクの６０％であり、巻き上げ工程を通して維持される。
【００５９】
第二実施形態では、二次的な床は、ナイロンの根域を有するポリエチレン繊維を含む、ポリエチレンおよびナイロンのニット製品である。該人工芝は、パイル高さ約２．９ｃｍ（約１．１２５インチ）を有する。繊維は、約１．６ｃｍ（０．６インチ）のポリ塩化ビニルのアンダーパッドに付着されており、該人工芝は、フェース重量約１．９ｋｇ／ｍ２（約５６オンス／平方ヤード）を有する。本実施形態では、人工芝は充填材を有さない。第二実施形態の二次的な床の最終製品重量は、１７．１ｋｇ／ｍ２（３．５ポンド／平方フィート）〜１９．５ｋｇ／ｍ２（４ポンド／平方フィート）である。第二実施形態では、コアモータのために設定するトルクは４０％であり、巻き上げ工程を通して維持される。
【００６０】
本発明のシステムは、従来知られたシステムで必要とされたように、二次的な床面が特定の傾斜またはパイル角度を有することを必要としない。二次的な床面が適切に巻き上がるように、二次的な床面を反転して一定のパイル角度を維持しなければならなかった従来知られたシステムとは違って、本発明のシステムは、二次的な床面の傾斜または角度にかかわらず適切に機能する。なぜならば、該システムは、コアモータのトルクおよび／または速度を調整することによって、傾斜または角度を調整するように、且つ、いずれの変化を補償するように、プログラムされているからである。
【００６１】
コア１２から二次的な床４０を展開する方法も提供される。（コア１２および第２ローラ１６をそれぞれ制御する）コアモータ２０およびローラモータ６６が作動され展開工程を開始する。コアモータ２０およびローラモータ６６は、二次的な床をコアから離させる方向に、コアおよび前方ローラを回転するよう構成されている。展開工程において、ローラ可変速駆動装置は、固定速度を維持するようにプログラムされている。その速度は、巻き上げ工程を通して用いられた速度と、同一であることができるかまたは異なることができる。第一実施形態および第二実施形態において、前方ローラの速度は、巻き上げ工程および展開工程の両方について同一である。展開工程の間に、コアはブレーキとして働き、コアから離れる二次的な床の速度を制御する。コアの速度を制御することは、二次的な床がコアから離れるときに、二次的な床が弛むことを防止する。一部の実施形態では、コアモータの単一速度が、展開工程を通して維持される。例えば、その上に巻かれた二次的な床を有するコアの直径が約１．５ｍ（約５フィート）である第二実施形態において、コアモータの速度は約３２ヘルツであり、それは展開工程を通して維持される。しかし、二次的な床の寸法がより大きい、従ってその直径がより大きい他の実施形態においては、速度は展開工程の間に調整される。これらの実施形態においては、コア可変速駆動装置は線形電圧変位変換器（ＬＶＤ）から位置情報を受け取り、コア上に残っている二次的な床の量に基づいて、コアモータの速度を調整する。上述のように、線形電圧変位変換器（ＬＶＤ）は、端部軸または端枠に相対してコアの位置を示すので、コア上の二次的な床の直径を示す。コア可変速駆動装置は、直線的にコアモータの速度を制御する。第一実施形態では、コア可変速駆動装置は、（コアおよび二次的な床の直径が約１．５ｍ（約５フィート）の場合）１４ヘルツで作動するようにコアモータの駆動を開始して、弛ませることなく二次的な床を展開するために、展開工程の終わりまでに（二次的な床がコアから離れてコアの直径が約１．２ｍ（約４８インチ）のときに）２２ヘルツに調整する。
【００６２】
第一実施形態では、コアモータおよび前方モータは、巻き上げ工程および展開工程の両方について、ほぼ同時に作動され且つ停止される。コアモータおよび前方モータの加速プロファイルおよび減速プロファイルもほぼ同じであり、直線パターンに従っている。他の実施形態は、それらのプロファイルがコアモータおよび前方モータの間で共通である限り、非直線パターンなどの異なる加速プロファイルおよび／または減速プロファイルを用いてもよい。
【００６３】
図５〜図７Ｂおよび図９〜図１１に示す随意のウィンチ（巻き上げ）／ケーブルシステムは、その上に二次的な床４０が設置される一次面３８を横断して、二次的な床４０を引っ張ることができる。ウィンチ／ケーブルシステムは、ケーブル５２によって複数のウィンチ５０に連結されたスパー４８を含む。ウィンチ／ケーブルシステムは、二次的な床４０を、その上に二次的な床４０が設置される一次面３８の一端から一次面３８の他端に引っ張る。スパー４８は二次的な床４０に始端部を提供する。スパー４８は、鋼（rigid steel）または他の好適な材料から形成されることができ、スパー部５４にあらかじめ作られる。一部の実施形態では、スパー部は、長さ約６．１ｍ（約２０フィート）またはいずれの好適な長さであることができる。各スパー部５４の間は、図６、図７Ａ、および図７Ｂに示す車輪部５６である。車輪部５６は、移動を助ける車輪６０およびステア（操縦）スパー５４を含む。ステアスパー５４を一次面３８に沿って引きずることを回避するために、車輪６０も、一次面３８からステアスパー５４を持ち上げる。
【００６４】
その長さが二次的な床４０の幅に対応するスパー４８は、二次的な床４０の位置合わせを維持するのを助ける。またスパー４８は、二次的な床４０が展開されるときに、二次的な床４０を手動または自動で操縦するために用いられることができるステアリング（操縦）機構５８（図５に示す）を含む。ステアリング機構５８は、スパー４８をより容易に操縦するための一連のギア減速機を含むことができる。ステアスパー５４も、システムが二次的な床４０を伸長または変形させないようにすることを助ける。一部の実施形態では、ステアリング機構５８は一個人によって手動で操作され、ステアスパー５４を制御することができる。他の実施形態では、ステアリング機構５８は、例えば、床に埋め込まれたガイドシステムに従うことによって、または、レーザーガイドを用いることによってなど、自動でシステムを操縦するように構成されている。
【００６５】
そしてウィンチ５０が、ケーブル５２を用いて、一次面３８を横断して二次的な床４０を展開するように係合される。ウィンチ５０は、繋がれ且つ同期される一つの中心駆動機構によって、制御されることができるので、ウィンチ５０はスパー４８の張力を制御している。ウィンチ／ケーブルシステムは、図９に示すように部分ピット６２に取り付けられ得るかまたは、図１０に示すように一次面３８に直接置かれるかまたは、図１１に示すように壁６４に取り付けられ得る。他の実施形態では、ウィンチ／ケーブルシステムは、液圧駆動されることができるかまたは、他の好適な方法で動力を供給されることができる。二次的な床面が展開されるときに、ウィンチ／ケーブルシステムを用いて、一次面を横断する二次的な床面の弛みを引っ張るのを助けることができる。
【００６６】
一部の実施形態では、既設の一次面３８は、二次的な床面を巻き上げるかまたは展開する間に一次面３８にわたって気流をもたらすための通気口を含む。従って、二次的な床４０の下に気流が生み出され、二次的な床４０を持ち上げて、巻き上げることまたは展開することを支援できる。気流システムは、空気の分配を一様にするために可変速駆動によって駆動されるので、二次的な床４０は均等に持ち上がる。一実施形態では、気流システムは自動であり、操作者による操作を必要としない。
【００６７】
代替の実施形態では、コアモータ２０およびローラモータ６６は二次的な床４０の外でロールを駆動し、二次的な床が一次面３８を横断して巻かれるときに、ウィンチ／ケーブルシステムを用いて、二次的な床４０の外で弛みを引っ張る。
【００６８】
このシステムは、エンドユーザ（最終使用者）が、限られた量の労働力を用いて、短時間で、既設の一次面を二次的な床面に変換することを可能にする。このシステムは、多数の異なる種類の二次的な床面、例えば、タフトまたはニットの合成芝、長パイルまたは短パイル製品、ゴム引き床システム、充填製品および非充填製品、天然芝、または一次面を覆い且つ／または保護するのに用いられる他の表面などから、エンドユーザが選択することも可能にする。開示されたシステムは、競技業界での用途に制限されず、一次面が二次的な床面に変換されるときはいつでも用いられることができる。巻き上げ工程および展開工程を非常に速やかに行うことができるので、従来知られたシステムを用いてかかった時間のほんの一部で、一次面を二次的な床面に変換することができる。
【００６９】
代替の実施形態では、変換システム１０は可搬式システムであり、所定位置に固定されない。一次面が、例えば幅約３０．５ｍ（１００フィート）長さ約６１ｍ（２００フィート）であり得る、屋内競技場またはバスケットーボールのコートの大きさのように、比較的小さいならば、本発明の変換システムは、可搬式システムとして特に好適である。可搬式システムにおいては、変換システムは、線路型トラックなどのトラックに沿ってまたはローラに沿って移動するように構成されることができる。あるいは、該システムは、（車輪で）動かされるかまたは他の好適な方法によって可搬式で作られることができる。
【００７０】
前記は、第一実施形態および第二実施形態において、コアモータを設定するための特定のトルクおよび速度を提供している。これらの設定は、二次的な床の重量および幅を考慮することによって、直線的に調整されて、他の実施形態のための設定を決定することができることを、発明者らは見出した。比較的ピンと張ったロールが、二次的な床を迅速且つ滑らかに展開するために必要とされるので、二次的な床を巻き上げるのに用いられるトルクの制御および設定は重要である。
【００７１】
例えば、マジックカーペット（登録商標）ブランドのシステム、および、米国特許第４３９９９５４号に開示されたシステムなどの、人工芝で表面を取り外し可能に覆う既存の変換システムは、ここに開示された本発明を実施するために性能を向上されることができる。例えば一実施形態では、既存のシステムの後方ローラおよび前方ローラを用いて、且つ、モータ、可変速駆動装置、および浮動コアなどの上述の特徴を含むように、残りのシステムに性能向上（アップグレード）をなすことができる。一部の実施形態では、既存のシステムは、上述のウィンチ／ケーブルシステムと連動して用いられることもできる。
【００７２】
前述の説明は、本発明に関連する種々の実施形態および構造を説明するために提供されている。本発明の精神および範囲から逸脱することなく、これらの実施形態および／または構造に、種々の改変、追加、および削除がなされ得る。
【図１】
0005462265.tif 000002
【図２】
0005462265.tif 000003
【図３】
0005462265.tif 000004
【図４】
0005462265.tif 000005
【図５】
0005462265.tif 000006
【図６】
0005462265.tif 000007
【図７Ａ】
0005462265.tif 000008
【図７Ｂ】
0005462265.tif 000009
【図８Ａ】
0005462265.tif 000010
【図８Ｂ】
0005462265.tif 000011
【図９】
0005462265.tif 000012
【図１０】
0005462265.tif 000013
【図１１】
0005462265.tif 000014